(57)【要約】【課題】従来の和傘にはない構成を備えることによって、従来にはない装飾性が付与された和傘、及び該和傘を用いた装飾具を提供する。【解決手段】和傘１は、軸部２、軸部２の端部にそれぞれの一端が軸支されると共に放射状に展設された複数本の親骨３、及び、親骨３間に張設された傘地１０を備えた和傘１であって、傘地１０は、内側傘地１１と、内側傘地１１に重畳して張設された外側傘地１２との二重構造とされ、内側傘地１１及び外側傘地１２の何れか一方は和紙で、他方は織物または和紙で構成されると共に、内側傘地１１は、繊維の密度の差異により模様が形成された模様部２０を具備する。【選択図】図１
0003133812.tif 000002
【実用新案登録請求の範囲】
【請求項１】
軸部、該軸部の端部にそれぞれの一端が軸支されると共に放射状に展設された複数本の親骨、及び、該親骨間に張設された傘地を備えた和傘であって、
前記傘地は、内側傘地と、該内側傘地に重畳して張設された外側傘地との二重構造とされ、
前記内側傘地及び前記外側傘地の何れか一方は和紙で、他方は織物または和紙で構成されると共に、
前記内側傘地は模様が形成された模様部を具備する
ことを特徴とする和傘。
【請求項２】
前記模様部の模様は、繊維の密度の差異により形成されたものであることを特徴とする請求項１に記載の和傘。
【請求項３】
前記内側傘地は和紙で構成され、
前記外側傘地は紗、絽、または羅の織物で構成されることを特徴とする請求項１または請求項２に記載の和傘。
【請求項４】
請求項１乃至請求項３の何れか一つに記載の和傘と、
該和傘を、開かれた状態で建物の側面に前記外側傘地を向けて取り付ける固定具とを備え、
前記固定具は、
一端に、前記軸部の両端部のうち前記親骨が軸支された側の頭部端部を掛止する第一掛止部が設けられていると共に、他端が建物の側面または天井に取り付けられる線状の第一固定部材、及び、
一端に、前記軸部の両端部のうち前記頭部端部と反対側の手元端部を掛止する第二掛止部が設けられていると共に、他端が建物の側面または天井に取り付けられる線状の第二固定部材を具備する
ことを特徴とする和傘を用いた装飾具。
【考案の詳細な説明】
【技術分野】
【０００１】
本考案は、和傘及び和傘を用いた装飾具に関するものである。
【背景技術】
【０００２】
古くより、竹を細く削った複数本の骨を放射状に組み付け、その骨に傘地として和紙を張り、油引きをして防水性を持たせた和傘が使用されている。また、傘地を張り付ける長い親骨と、親骨の途中部に一端が結び付けられた短い子骨とで骨を構成させ、子骨の他端が挿し込まれた円筒状のろくろ（手元ろくろ）を軸柄に沿ってスライドさせることにより、開閉を可能とした現在の形の和傘は、江戸時代に広く普及したと言われている。
【０００３】
しかしながら、洋傘の普及や、和服を着用する機会の減少に伴って、和傘を利用する人は急激に減少している。最近では、和服を着用する際でも和傘を利用する人は稀となり、和傘が利用される場面も限定されて来ている。
【０００４】
本考案者は、傘地が外側に折り畳まれる洋傘とは異なり、和傘では周囲を濡らさないように、傘地が内側に折り畳まれることに表出されるような、日本人の気質を大切にしたいと考えると共に、日本の伝統文化の一つである和傘を伝えたいと考え、伝統に立脚しつつ現代に適合する新しさを備えた和傘の開発を、かねてより進めている。そして、本考案者は、「デニムに和傘」をコンセプトに、“和傘は和装に”という従来の固定観念にとらわれることなく、現代の人々の服装にも似合い、現代の街並みにも映える和傘を提案したいと考える。
【考案の開示】
【考案が解決しようとする課題】
【０００５】
従来の和傘は、伝統的な構成がそのまま踏襲されて来ており、デザインも画一的なものであった。そこで、現代に適合する和傘とするためには、新規な構成を備えさせることによって、従来の和傘にはない装飾性を付与することが必要であると考える。また、従来にはない装飾性を付与することにより、従来にはない用途に和傘を用いることも、可能となると考える。
【０００６】
そこで、本考案は上記の実情に鑑み、従来の和傘にはない構成を備えることによって、従来にはない装飾性が付与された和傘、及び該和傘を用いた装飾具の提供を課題とするものである。
【課題を解決するための手段】
【０００７】
上記の課題を解決するため、本考案に係る和傘は、「軸部、該軸部の端部にそれぞれの一端が軸支されると共に放射状に展設された複数本の親骨、及び、該親骨間に張設された傘地を備えた和傘であって、前記傘地は、内側傘地と、該内側傘地に重畳して張設された外側傘地との二重構造とされ、前記内側傘地及び前記外側傘地の何れか一方は和紙で、他方は織物または和紙で構成されると共に、前記内側傘地は模様が形成された模様部を具備する」ものである。
【０００８】
「軸部」は、一端で「親骨」を支持すると共に、他端側は把持部となる。また、一対のろくろ（頭ろくろ、手元ろくろ）によって開閉可能とした傘の場合、親骨は軸部の端部に挿し込まれた有底筒状の頭ろくろの外周面に差し込まれることにより、頭ろくろを介して軸部に軸支されるのが一般的である。なお、親骨の本数は特に限定されず、例えば、４０本、４４本、４８本とすることができる。
【０００９】
「内側傘地」は、傘地の表裏面のうち、傘の使用時に使用者の側となる面を構成する傘地を指し、「外側傘地」は、使用者に降りかかる日光、雨、雪等を受ける面を構成する傘地を指している。
【００１０】
「和紙」は、コウゾ、ミツマタ、ガンピ等の靭皮繊維を主原料とし、針葉樹・広葉樹の木質部を主原料とした“洋紙”に比べて、繊維が長い紙を指している。なお、古くからの製法である流し漉きの手法による手漉きの和紙の他、手漉きの風合いを持たせることを意図しつつ、機械漉きで製造された和紙をも含む意で用いている。また、「織物」の種類は特に限定されず、絹織物、麻織物、木綿織物、あるいは、化学繊維や混紡繊維によって織られた織物等を使用することができる。
【００１１】
「模様部」は、内側傘地の全面に設けられるものであっても、部分的に設けられるものであっても良い。例えば、内側傘地において、模様部を円形状や円環状に設けることができる。
【００１２】
「模様」の種類は特に限定されないが、例えば、染色、印刷、手描きによって形成されたものとすることができる。また、和紙の場合、着色された繊維や植物の葉などが、漉き込まれることによって形成される模様であっても良い。また、織物の場合、刺繍によって形成される模様とすることもできる。
【００１３】
従来の和傘にとって、傘地は外側から見られることが意識された構成であり、内側から見ることを意識して、傘地の内側に装飾を施したものはなかった。これに対し、本考案では、傘地を二重構造とし、内側傘地に模様部を設けたことにより、使用者の側からの視点で傘地が積極的に装飾される。これにより、使用者が和傘を差しているときに、傘地に施された装飾を使用者自身が楽しむことができ、従来の和傘にはない装飾性が付与された新しい和傘となる。
【００１４】
そして、傘地が二重構造とされているため、内側傘地に設けられた模様は外側からは見えにくい。そのため、例えば、外側傘地は模様のない単色地とし、外側から見た場合に地味で落ち着いた印象を与えるものとする一方で、内側傘地が模様部による模様によって華やかに装飾された和傘とすることができる。あるいは、内側傘地の模様部とは異なる模様を外側傘地に施すことにより、外側から見た場合と内側から見た場合とで、全く異なる印象を与える和傘とすることが可能となる。
【００１５】
本考案にかかる和傘は、「前記模様部の模様は、繊維の密度の差異により形成された」ものとすることができる。
【００１６】
「繊維の密度の差異による模様」は、繊維の密な部分と疎な部分によって形成される模様に限定されず、繊維の密度がゼロの部分、すなわち孔部によって形成される模様も含まれる意で用いている。例えば、内側傘地を和紙で構成させる場合、模様部を構成させる「繊維の密度の差異により模様が形成された」和紙としては、例えば、漉かれた紙が乾燥する前の生漉き紙に、水を噴霧する等により水圧で繊維間の空隙を広げた落水紙や水玉紙、生漉き紙に楮の繊維を散らして、部分的に繊維を厚くした雲竜紙、漉かれた紙が乾燥した後に模様が型抜きされた和紙等を使用することができる。なお、内側傘地を和紙で構成させた場合、外側傘地は、織物で構成させても和紙で構成させても良い。
【００１７】
内側傘地を織物で構成させる場合、模様部を構成させる「繊維の密度の差異により模様が形成された」織物としては、例えば、平織・綾織などにからみ織の組織を混ぜることによって、経糸と緯糸との空隙が広い部分で模様が形成された透織物や、からみ織において織目のつめ方を変化させることによって模様が形成された、顕文紗・地文紗等の織物を使用することができる。なお、内側傘地を織物で構成させた場合、外側傘地は和紙で構成させることとなる。
【００１８】
上記の構成により、本考案によれば、和傘を光にかざした際、内側すなわち使用者の側から見ると、繊維の密度の差異による光の透過量の差異によって、模様がくっきりと浮かび上がる。特に、傘地が二重構造とされ、外側傘地を透過して外側傘地の色を反映した光が内側傘地を透過するため、内側傘地に設けられた模様部の模様が、外側傘地を透過した光を背景として浮かび上がる。これにより、光が透過する現象が和傘の装飾に効果的に活かされた、新規な和傘となると共に、日傘としての使用に適した和傘となる。
【００１９】
加えて、和傘を外側から見た場合は、外側傘地から反射される光によって、内側傘地に繊維の密度の差異による模様が設けられていることが目立たない。そのため、和傘を差している使用者側から見た場合に模様が浮かび上がるという、従来にはない装飾が施された和傘となる。
【００２０】
本考案に係る和傘は、「前記内側傘地は和紙で構成され、前記外側傘地は紗、絽、または羅の織物で構成される」ものとすることができる。
【００２１】
内側傘地が和紙で構成されることにより、本考案における重要な構成である模様部が、和傘ならではの素材である和紙で構成される。これにより、従来にない新規な和傘であると同時に、古くからの伝統を大切にした和傘となる。また、模様部の模様を繊維の密度の差異により形成されたものとした場合は、紙の繊維の微細な毛羽立ちや、直線的ではない繊維の流れと共に模様が浮かび上がり、柔らかであたたかみのある雰囲気がかもし出される和傘となる。
【００２２】
また、外側傘地を紗、絽、または羅の織物で構成させることにより、これらの織物に特有のさらりとした質感によって、外側から見た場合に涼やかな印象を与えるものとなり、夏を中心とした暑い時期に使用されることの多い、日傘に適した和傘となる。
【００２３】
加えて、紗、絽、または羅という、経糸及び緯糸間の空隙の大きな織物を用いることにより、外側傘地が光を透過させ易いものとなる。これにより、模様部の模様を繊維の密度の差異により形成されたものとした場合は、和傘を光にかざした際に内側傘地の模様をよりくっきりと浮かび上がらせることができる。また、模様部の模様を染色や印刷等で形成されたものとした場合は、外側から見た場合に、外側傘地の織物の繊維の隙間から、模様部の模様がごく僅かにうっすらと見えるものとなり、内側傘地の模様部によって外側からの視点での装飾性も付与されると共に、内側から見た場合と外側から見た場合とで与える印象の異なる装飾を、同一の模様部によって施すことができる。
【００２４】
次に、本考案に係る和傘を用いた装飾具は、「上記に記載の和傘と、該和傘を、開かれた状態で建物の側面に前記外側傘地を向けて取り付ける固定具とを備え、前記固定具は、一端に、前記軸部の両端部のうち前記親骨が軸支された側の頭部端部を掛止する第一掛止部が設けられていると共に、他端が建物の側面または天井に取り付けられる線状の第一固定部材、及び、一端に、前記軸部の両端部のうち前記頭部端部と反対側の手元端部を掛止する第二掛止部が設けられていると共に、他端が建物の側面または天井に取り付けられる線状の第二固定部材を具備する」ものである。
【００２５】
「建物の側面」は、壁、柱、障子、窓、襖、扉等、建物における略鉛直な構成を総称する意味で用いている。なお、模様部の模様を繊維の密度の差異により形成されたものとした場合は、壁や柱に設けられた光源や、光を透過させる障子やガラス窓等に、外側傘地を向けた状態で取り付けることとすれば、光を透過させることによって模様が浮かび上がるという、本考案の特徴を極めて効果的に発揮することができ、好適である。
【００２６】
「第一掛止部」及び「第二掛止部」は、それぞれ軸部の頭部端部及び手元端部を挿通させて掛止する環状・筒状の構成とすることができる。例えば、第一掛止部は、和傘に隠れて鑑賞者からは見えない部分となるため、ある程度重みのある筒状とすれば、その自重により、建物の側面または天井から垂下された状態が安定する。また、第二掛止部は、鑑賞者の目に付き易いため、幅の小さい環状とすることができる。あるいは、両掛止部の少なくとも何れかを、軸部の端部を引き掛けて掛止するフック状の構成とすることができる。特に、頭部端部において、合羽と称される小さな布・和紙が被せられている場合は、合羽を留めるために頭部端部に紐が巻き付けられているのが通常であるため、この紐を利用して、フック状の掛止部によって引き掛け掛止することができる。
【００２７】
線状の「第一固定部材」及び「第二固定部材」は、共に、長尺の紐、糸、ワイヤ、鎖等で構成させることができる。例えば、第二固定部材にテグスを用いれば、目立ちにくく好適である。なお、第一固定部材は和傘に隠れる部分が多く目立ちにくいため、剛性を有するワイヤ等を使用することもできる。また、第一固定部材及び第二固定部材の長さを調節可能なアジャスターを、更に備えるものとすれば、和傘のバランスをとり易く、種々のサイズの和傘に適用し易くなり、好適である。
【００２８】
なお、第一掛止部及び第二掛止部は、それぞれ第一固定部材及び第二固定部材に一体的に設けられる構成であっても良い。例えば、第二掛止部は鑑賞者の目に付き易いため、テグスで構成させた第二固定部材の端部を環状に結び、これを第二掛止部とすることができる。
【００２９】
また、第一固定部材及び第二固定部材は、他の部材を介して建物の側面または天井に取り付けられるものとすることができる。例えば、それぞれの建物の側面または天井に取り付けられる側の端部が、共に一つの基体に取り付けられている構成とすれば、基体を建物の側面または天井に取り付けるのみで、第一固定部材及び第二固定部材を同時に建物の側面等に取り付けることができる。
【００３０】
上記の構成により、本考案によれば、外側傘地を建物の側面に向けた状態で和傘が固定され、内側傘地が鑑賞者の側に向けられることとなる。これにより、内側傘地に設けられた模様部の有する装飾性を、装飾具として活かすことができる。従来の和傘は、蛇の目柄などの柄が傘地に施されたものを鑑賞する場合でも、外側からの視点によるものであり、傘の内側を積極的に鑑賞させるという発想はなかった。これに対し、本考案では、和傘に内側傘地の模様部という新規な構成を備えさせたことにより、伝統的な素材である和傘が、内側から鑑賞させる装飾具という、非常に斬新な用途に用いられるものとなる。
【００３１】
更に、本考案の装飾具は、模様部の模様や、組み合わされる内側傘地及び外側傘地の素材や色を異ならせることによって、多様な装飾性を持たせることができるため、装飾具の取り付けられる場所や使用者の好みに適合した雰囲気を、自在に演出することができる。また、装飾具として和傘を用いることにより、和傘を差して出歩かなくとも、和傘をより身近で親しみ易いものとして、生活の中で楽しむことができる。
【００３２】
なお、傘の内側が鑑賞の対象となるため、子骨に沿って「糸かがり」を施すことにより、装飾具としての装飾性を更に高めることができる。更に、本考案では、軸部が鑑賞者の側に向けられるため、軸部に漆塗りを施して蒔絵仕上げをし、あるいは、革紐など着色された紐を巻回させることによって、より装飾性を高めることもできる。
【考案の効果】
【００３３】
以上のように、本考案の効果として、従来の和傘にはない構成を備えることによって、従来にはない装飾性が付与された和傘、及び該和傘を用いた装飾具を提供することができる。
【考案を実施するための最良の形態】
【００３４】
以下、本考案を実施するための第一実施形態である和傘について、図１乃至図５に基づいて説明する。ここで、図１は第一実施形態の和傘の構成を示す（ａ）底面図（内側から見た図）、及び（ｂ）平面図（外側から見た図）であり、図２（ａ），（ｂ）及び（ｃ）は内側傘地への模様部の設け方を例示した底面図であり、図３は図１の和傘について（ａ）外側から見た写真、及び（ｂ）内側から見た写真であり、図４（ａ），（ｂ）及び（ｃ）は図１の和傘について模様部に用いられる和紙を例示する写真であり、図５は図１の和傘のバリエーションを示す写真である。
【００３５】
本実施形態の和傘１は、主に図１に示すように、軸部２、軸部２の端部にそれぞれの一端が軸支されると共に放射状に展設された複数本の親骨３、及び、親骨３間に張設された傘地１０を備えた和傘１であって、傘地１０は、内側傘地１１と、内側傘地１１に重畳して張設された外側傘地１２との二重構造とされ、内側傘地１１は和紙で、外側傘地１２は紗の織物で構成されると共に、内側傘地１１は、紙の繊維の密度の差異により模様が形成された模様部２０を具備している。
【００３６】
より詳細に説明すると、軸部２は丸棒状に形成され、その端部に、略円筒状の頭ろくろ５が差し込まれている。この頭ろくろ５の外周面には、親骨３の数と同数の溝（図示しない）が形成されており、この溝に親骨３の一端が挟み込まれることにより、親骨３は頭ろくろ５を介して軸部２に軸支されると共に、軸部２の軸心周りに放射状に展設されている。なお、図示では、頭ろくろを合羽９で被覆した場合を例示しているが、和傘１を日傘専用として用いる場合などは、合羽９は設けなくても構わない。
【００３７】
また、頭ろくろ５と対をなす略円筒状の手元ろくろ６が、摺動自在に軸部２に外挿されている。そして、親骨３と同数で親骨３より短い子骨４が、それぞれの一端が親骨３の中途部に糸で結び付けられると共に、他端が手元ろくろ６の外周面に設けられた溝に挟み込まれ、手元ろくろ６を介して軸部２に軸支されている。これにより、手元ろくろ６を軸部２に沿って摺動させると、子骨４の軸部２に対する回動が親骨３に伝達されて、親骨３が軸部２に対して回動し、親骨３に張設された傘地１０が開閉される。
【００３８】
内側傘地１１と外側傘地１２とは、重畳して二重構造の傘地１０を構成するが、両者は、例えば糊剤を使用して接着することにより、重畳させることができる。なお、本実施形態では、外側傘地１２として、模様のない単色地の紗織物を用い、内側傘地１１として、生漉き紙に水圧によって水玉模様が形成された和紙を用いた場合を例示する。
【００３９】
また、本実施形態では、図１（ａ）に示すように、単一の種類の和紙で内側傘地１１を構成させ、内側傘地１１の全体を模様部２０とした場合を例示しているが、模様部２０は、内側傘地１１に部分的に設けることもできる。例えば、図２（ａ），（ｂ）に例示するように、軸部２の軸心を中心とした円形状や円環状に模様部２０を設け、繊維の密度の差異による模様のない無模様部３０で、残部を構成させることができる。また、あるいは、図２（ｃ）に示すように、軸部２の軸心とは偏心した円形状に模様部２０を設け、残部を無模様部３０とすることができる。なお、模様部２０を部分的に設けた場合の残部は、無模様部３０とする他、繊維の密度の差異によるものではない模様、例えば、色分け模様やぼかし模様が施されるものとしても良い。
【００４０】
本実施形態の和傘１を外側から見た場合は、図３（ａ）に示したように、外側傘地１２から反射される光によって、内側傘地１１に模様部２０が設けられていることはほとんど目立たない。特に、本実施形態では、外側傘地１２を暗色・寒色系の色合いの織物で構成させているため、外側から見た場合に、非常に落ち着いた、控えめな印象を与えるものとなっている。
【００４１】
一方、光にかざした本実施形態の和傘１を内側から見た場合は、図３（ｂ）に示したように、繊維の密度の差異による水玉模様がくっきりと浮かび上がる。特に、本実施形態では、外側傘地１２に光を透過させやすい紗織物を用いているため、外側傘地１２を透過して外側傘地１２の色合いが反映された光を背景に、模様が非常にはっきりと浮かび上がる。これにより、外側から見た際の印象とは大きく異なり、内側から見た際には、非常に華やかな印象を与えるものとなっている。
【００４２】
ここで、本実施形態では、模様部２０に水玉模様が形成されている場合を例示しているが、模様はこれに限定されない。例えば、図４（ａ），（ｂ），（ｃ）に例示するように、紙の繊維の密な部分２１、疎な部分２２、繊維のない部分（孔）２３によって、種々の模様が形成された和紙で、模様部２０を構成させることができる。このような和紙を使用することにより、和傘を光にかざした際に、紙の繊維の微細な毛羽立ちや、直線的ではない繊維の流れとともに模様が浮き上がるため、柔らかであたたかみのある表情が和傘に与えられるものとなる。
【００４３】
また、本実施形態では、外側傘地１２として模様のない単色地の織物を用いた場合を例示しているが、これに限定されず、色分け模様やぼかし模様が施されているものとすることができる。例えば、図５に示したように、ぼかし模様が施された外側傘地１２を用いれば、光にかざしたときに浮き上がる模様にも、ぼかしの色合いが反映され、面白味のある和傘１となる。
【００４４】
上記のように、第一実施形態によれば、光が透過する現象が効果的に装飾に活かされた従来にない和傘１となると共に、日傘としての使用に適した和傘１となる。また、使用者側からの視点を主として傘地１０を装飾するという、従来の和傘にはない装飾性が付与された和傘１となる。更に、外側傘地１２に光を透過させ易い紗織物を用いることにより、光にかざした際に模様が浮き上がる効果が大きいと共に、紗織物のさらりとした質感により涼しげな印象を与え、日傘としての使用に、より適した和傘１となる。
【００４５】
なお、上記の実施形態では、模様部２０は内側傘地１１にのみ設けられている場合を例示したが、内側傘地１１に加えて、外側傘地１２にも模様部２０が設けられるものとしても構わない。その場合は、内側傘地１１の模様部２０と外側傘地１２の模様部とが重畳しない設定としたり、繊維の密度の差異の程度が内側傘地と外側傘地とで大きく相違する設定としたりすることにより、光にかざした際に内側傘地１１の模様を効果的に浮かび上がらせることができ、好適である。
【００４６】
次に、本考案の第二実施形態の和傘１ｂについて説明する。以下では、第一実施形態と同様の構成については同一の符号を付し、詳細な記載は省略する。
【００４７】
第二実施形態の和傘１ｂでは、内側傘地１１は和紙で構成され、模様部２０ｂには染色によって形成された模様が施されている。なお、本実施形態では、外側傘地は模様のない単色の紗の織物で構成されている場合を例示する。図６に、本実施形態の和傘１ｂを内側から見た写真を示す。
【００４８】
図６に示すように、内側傘地１１の模様部２０ｂの模様によって、傘地１０の内側に施された装飾を、使用者自身が楽しむことができる。一方、外側から和傘１ｂを見た場合には、傘地１０が二重になっていることから、模様部２０ｂの模様は見えにくく、内側からの視点と外側からの視点とで、見た目の異なる傘地１０となる。特に、本実施形態では、外側傘地を模様のない単色地としているため、内側から見た場合の華やかな印象とは大きく異なり、外側から見た場合は控えめで落ち着いた印象を与える和傘１ｂとなっている。
【００４９】
また、本実施形態では、外側傘地に紗織物を用いているため、織物の繊維の隙間から、模様部２０ｂの模様がごく僅かにうっすらと見え、内側から見た場合と外側から見た場合とで異なる印象を与える装飾性が、同一の模様部２０ｂによって付与された和傘１ｂとなっている。なお、外側傘地に、繊維の隙間の大きさの異なる織物を用いることにより、模様部２０ｂの模様の見え具合を異ならせることができる。
【００５０】
加えて、本実施形態の模様部２０ｂの模様は、和紙が染色される際に染料が滲み、模様に沿ってぼかしが形成されているため、和紙の持つ柔らかさやあたたかみが、一層感じられる和傘１ｂとなっている。なお、図６では、模様が不規則な縞模様である場合を例示しているが、これに限定されず、花模様、水玉模様、格子模様、マーブル模様など、種々の模様で模様部２０ｂを構成させることができる。
【００５１】
また、上記では、内側傘地１１の全体が模様部２０ｂで構成される場合を例示したが、これに限定されず、染色による模様が形成された模様部２０ｂを、内側傘地１１に部分的に設けることもできる。更に、内側傘地１１を、染色等による模様が形成された模様部２０ｂと、繊維の密度の差異による模様が形成された模様部２０との、双方を備える構成とすることもできる。加えて、本実施形態ででは、外側傘地には模様がない場合を例示したが、これに限定されず、外側傘地にも模様を設けることとしても構わない。
【００５２】
次に、本考案を実施するための最良の一実施形態である和傘を用いた装飾具（以下、単に「装飾具」という）について、図７乃至図９に基づいて説明する。ここで、図７は本実施形態の装飾具における固定具の構成を示す（ａ）正面図、及び（ｂ）側面図であり、図８は本実施形態の装飾具の使用状態を説明する斜視図であり、図９は本実施形態の装飾具の一例について、内側部分を拡大した写真である。
【００５３】
本実施形態の装飾具５０は、上記の実施形態の和傘１（または和傘１ｂ）と、固定具５５とを具備し、固定具５５は、共に線状の第一固定部材５１及び第二固定部材５２を備えている。より詳細に説明すると、図７（ａ），（ｂ）に示すように、第一固定部材５１の一端には、軸部２の両端部のうち親骨３が軸支された側の頭部端部２ａを掛止する略円筒状の第一掛止部５１ｂが設けられており、他端は略板状の基体５３に取り付けられている。また、第二固定部材５２の一端には、軸部２の両端部のうち頭部端部２ａと反対側の手元端部２ｂを掛止する円環状の第二掛止部５２ｂが設けられていると共に、他端は上記の基体５３に取り付けられている。そして、基体５３には、基体５３を建物の側面や天井に留め付けるための釘やビスを挿通させる孔部５４が穿設されている。
【００５４】
装飾具５０の使用にあたっては、まず、基体５３を建物の側面または天井に留め付ける。本実施形態の装飾具５０は、外側傘地を建物の側面に向けて固定されるものであるが、建物の側面が窓や障子など基体５３が取り付けにくい場所である場合や、基体５３が鑑賞者の視野に入らないようにしたい場合等は、基体５３を天井に取り付けることができる。このようにして基体５３が建物の側面等に取り付けられると、第一掛止部５１ｂ及び第二掛止部５２ｂが、それぞれ基体５３の下方に垂下された状態となる。
【００５５】
そして、第一掛止部５１ｂに頭部端部２ａを挿通させ、外側傘地を建物の側面６０に向けた状態で、第二掛止部５２ｂに手元端部２ｂを挿通することにより、図８に示すように、装飾具５０が固定された状態となる。なお、図８では、基体５３を建物の側面６０に取り付け、建物の側面６０が壁である場合を例示している。ここで、第一固定部材５１及び第二固定部材５２の線状の長さは、予め和傘１のサイズに合わせて設定しておくことができる。あるいは、長さを調節可能なアジャスターを備える構成とし、種々のサイズの和傘に適用し易いものとすることもできる。
【００５６】
上記のように、外側傘地を建物の側面６０に向けた状態で取り付けられると、内側傘地１１が鑑賞者の側に向けられることとなる。これにより、内側傘地１１に設けられた模様部２０（又は２０ｂ）の有する装飾性を、装飾具５０として活かすことができる。特に、繊維の密度の差異により模様が形成された模様部２０が設けられている和傘１を用いた装飾具５０の場合は、建物の側面６０に設けられた光源や窓を背景として装飾具５０が取り付けられるものとすれば、鑑賞者側から見たときに、傘地１０を透過した光によって、内側傘地１１の模様部２０の模様が浮かび上がり、効果的である。
【００５７】
なお、傘の内側が鑑賞の対象となるため、本実施形態では、図９に示すように、手元ろくろ６の近傍に、複数段にわたって糸かがり６５を施し、更に装飾性を高めている。この糸かがり６５は、一つ網、二つ網、一目置山、くさり、一目置くさり、小千鳥などの多種のパターンを組み合わせ、また、色の異なる糸を組み合わせて、極めて複雑かつ繊細に構成されている。
【００５８】
加えて、図示は省略するが、本実施形態では、鑑賞者の目に付き易い軸部２を、漆蒔絵仕上げとし、更に装飾性を高めている。また、装飾具５０が取り付けられる場所や、使用者の好みにより、手元端部２ｂ側にカラフルな紐を巻回したり、高級感を感じさせる革紐を巻回させることもできる。
【００５９】
以上のように、本実施形態によれば、和傘１の有する装飾性、特に、傘地１０の内側に施された装飾が活かされた、従来にない装飾具５０となると共に、和傘１を差して出歩かなくとも、和傘１をより身近で親しみ易いものとして、生活の中で楽しむことができる。
【００６０】
加えて、本実施形態では、和傘１に対して着脱自在な固定具５５を有していることにより、容易に建物に取り付けて鑑賞することができると共に、固定具５５を容易に取り外し、すぐに和傘として使用することができる。これにより、実用的な和傘としての機能を、兼ね備えた装飾具５０となる。
【００６１】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００６２】
例えば、上記では、内側傘地が和紙で外側傘地が織物で構成された場合を例示したが、これに限定されず、内側傘地が織物で外側傘地が和紙で構成されるものであっても、内側傘地及び外側傘地が共に和紙で構成されるものであっても良い。
【００６３】
また、糸かがり、軸部の蒔絵仕上げ、軸部への革紐等の巻回による装飾を、装飾具に用いられる和傘に施す場合を例示したが、もちろん実用的に使用する和傘についても、これらの装飾を施すことができる。これらは何れも、傘の内側の構成に対して施される装飾であるため、使用者の側からの視点で和傘を装飾するという、本考案の趣旨にかなうものである。
【００６４】
更に、本実施形態の装飾具では、実用的な和傘をそのまま装飾具に用いる場合を例示したが、これに限定されず、主に装飾具に用いる和傘として、通常のサイズより全体的に小さいサイズとしたり、親骨の長さに対する軸部の長さの割合を小さい設定とすることができる。
【図面の簡単な説明】
【００６５】
【図１】第一実施形態の和傘の構成を示す（ａ）底面図（内側から見た図）、及び（ｂ）平面図（外側から見た図）である。
【図２】内側傘地への模様部の設け方を例示した底面図である。
【図３】図１の和傘について（ａ）外側から見た写真、及び（ｂ）内側から見た写真である。
【図４】図１の和傘について、模様部に用いられる和紙を例示する写真である。
【図５】図１の和傘のバリエーションを示す写真である。
【図６】第二実施形態の和傘を内側から見た写真である。
【図７】本実施形態の装飾具における固定具の構成を示す（ａ）正面図、及び（ｂ）側面図である。
【図８】本実施形態の装飾具の使用状態を説明する斜視図である。
【図９】本実施形態の装飾具の一例について、内側部分を拡大した写真である。
【符号の説明】
【００６６】
１，１ｂ  和傘
２  軸部
２ａ  頭部端部（軸部）
２ｂ  手元端部（軸部）
３  親骨
４  子骨
５  頭ろくろ
６  手元ろくろ
１０  傘地
１１  内側傘地（傘地）
１２  外側傘地（傘地）
２０，２０ｂ  模様部
５０  装飾具（和傘を用いた装飾具）
５１  第一固定部材
５１ｂ  第一掛止部（第一固定部材）
５２  第二固定部材
５２ｂ  第二掛止部（第二固定部材）
５５  固定具
６０  建物の側面
【図１】
0003133812.tif 000003
【図２】
0003133812.tif 000004
【図７】
0003133812.tif 000005
【図８】
0003133812.tif 000006
【図３】
0003133812.tif 000007
【図４】
0003133812.tif 000008
【図５】
0003133812.tif 000009
【図６】
0003133812.tif 000010
【図９】
0003133812.tif 000011